(57)【要約】【課題】優れた機械的結合強度を有し、組立て及び解体作業を、効率的、且、安全に行なうことができる足場部材、及び、これを用いた足場装置を提供する。【解決手段】掛止部１３は、楔状であって、側壁１４、１５と、底部壁１６と、回動子１８とを含み、基体部１０の端部１０１、１０２に取り付けられている。側壁１４、１５は、底部壁１６の両側で相対向して立ち上がる。回動子１８は、側壁１４、１５の間に回動可能に取り付けられ、一端１８１が底部壁１６に接触することにより回動が規制され、その規制位置で他端１８３が側壁１４、１５よりも外側に突出する。  上述した足場部材１は、ソケット部２１を有する足場受け部材２と組み合わされて足場装置に用いられる。足場部材１は、掛止部１３がソケット部２１に差し込まれ、他端１８３が、ソケット部２１の下端縁と接触可能な位置に突出する。【選択図】図１
2007191904.tif 000002
【特許請求の範囲】
【請求項１】
基体部と、掛止部とを含む足場部材であって、
前記掛止部は、楔状であって、２つの側壁と、底部壁と、回動子とを含み、前記基体部の端部に取り付けられており、
前記２つの側壁は、前記底部壁の両側で立ち上がるとともに、互いに相対向し、
前記回動子は、前記側壁の間に回動可能に取り付けられ、一端が前記底部壁に接触することにより回動が規制され、その規制位置で、他端が前記側壁よりも外側に突出する、
足場部材。
【請求項２】
請求項１に記載された足場部材であって、前記回動子は、回動軸が偏心している、足場部材。
【請求項３】
第１の足場部材と、第２の足場部材とを含む足場装置であって、
前記第１の足場部材は、請求項１又は２に記載されたものでなり、
前記第２の足場部材は、ソケット部を有し、前記ソケット部には、前記第１の足場部材の前記掛止部が差し込まれ、前記回動子の他端が、前記ソケット部の下端縁と接触可能な位置に突出する、足場装置。
【発明の詳細な説明】
【技術分野】
【０００１】
本発明は、足場部材、及び、足場装置に関し、具体的には、足場布板、ブラケット、手摺、根がらみ、すじかい、支柱等の足場部材、及び、これを用いた足場装置に関する。
【背景技術】
【０００２】
一般に、建築工事現場等で仮設される足場装置には、特許文献１に開示されているように、ブラケット、足場布板、及び、支柱等の各種の足場部材が用いられている。これらの足場部材は、それぞれの有する楔状の掛止部と、ソケット部とが相互に結合され、一体的な足場（足場装置）が組み立てられる。
【０００３】
この足場装置の組立てにあたっては、まず、ブラケットの掛止部の先端を、支柱のソケット部に差し込み、次に掛止部の後端にハンマー等で打撃を加えることにより、掛止部をソケット部に深く打ち込む。その結果、掛止部と、ソケット部との接触部分に摩擦が生じ、この接触部分の摩擦力によりブラケットと、支柱とが相互に結合される。さらに、このブラケットのソケット部に、足場布板の掛止部を打ち込むことにより、足場布板がブラケットに結合される。
【０００４】
他方、足場装置の解体にあたっては、まず、足場布板の掛止部の先端に対して、差し込み方向とは逆の方向からハンマー等で打撃を加えることにより、掛止部を、ブラケットのソケット部から離脱させ、両者の結合状態を解除する。さらに、ブラケットの掛止部の先端に対して、差し込み方向とは逆の方向からハンマー等で打撃を加えることにより、掛止部を、支柱のソケット部から離脱させ、両者の結合状態を解除する。
【０００５】
このように、従来の一般的な足場装置では、組立て作業、及び、解体作業において、足場部材に備えられている全ての掛止部に打撃を加える必要があり、作業効率が悪い。しかも、通常、足場装置は多数の足場部材により構築されているため、膨大な数の掛止部に対して、上述した打撃作業を繰り返すことが必要になり、効率の悪い作業を長時間にわたって行わなければならない。また、長時間にわたる繰り返し打撃作用により、作業員が腱鞘炎を患うことが多々あり、作業員の健康管理に配慮しなければならない。さらに、住宅街、病院、及び、学校等に近い現場では、騒音問題にも配慮しなければならない。
【０００６】
さらに、足場装置の機械的強度を確保するためには、掛止部を強打し、ソケット部に深く打ち込む必要がある。このため、掛止部や、これを受けるソケット部に、打撃による変形、損傷、及び、破断等の不具合が生じやすい。また、掛止部への打撃作業は、狭い足場上で行われるため、作業員がバランスを崩しやすく、転落事故発生の危険性がある。
【０００７】
一方、掛止部がソケット部に深く打ち込まれると、足場装置の解体作業が困難になる。解体作業時の労力を考慮して浅く打ち込んだ場合には、ソケット部に対する掛止部の結合力が不足し、強風や作業員の移動等により生じる振動や揺れによって、掛止部がソケット部から浮き上がり、揺れがますます大きくなる。即ち、従来の足場装置では、掛止部と、ソケット部との機械的結合強度を適切に調節することが困難である。
【特許文献１】特開２００２−１３２９１号公報
【発明の開示】
【発明が解決しようとする課題】
【０００８】
本発明の課題は、組立て作業、及び、解体作業を、効率的、且、安全に行なうことができる足場部材、及び、これを用いた足場装置を提供することである。
【０００９】
本発明のもう一つの課題は、優れた機械的結合強度を有する足場部材、及び、これを用いた足場装置を提供することである。
【課題を解決するための手段】
【００１０】
上述した課題を解決するため、本発明に係る足場部材は、基体部の端部に、楔状の掛止部が取り付けられている。掛止部は、底部壁の両側で相対向して立ち上がる側壁の間に回動子が回動可能に取り付けられている。さらに回動子は、その一端が底部壁に接触することにより回動が規制され、且、この規制位置で、他端が側壁よりも外側に突出する。
【００１１】
上述した足場部材は、ソケット部を有する足場部材と組み合わされて、足場装置を構成する。この足場装置の組立てにあたって、掛止部が、ソケット部に差し込まれ、掛止部に備えられている回動子の他端が、ソケット部の下端縁と接触可能な位置に突出する。
【００１２】
ここで本発明に係る足場部材は、基体部の端部に、掛止部が取り付けられており、この掛止部は楔状であるから、掛止部をソケット部に差し込むことが容易である。
【００１３】
しかも、掛止部は、２つの側壁が、底部壁の両側で立ち上がるとともに、互いに相対向し、この側壁の間に、回動子が回動可能に取り付けられているから、足場装置の組立て作業において、ソケット部に掛止部を差し込むだけで、回動子がソケット部の壁面などに接触して自動的に回動（軸遊動）し、ソケット部に対する掛止部の挿入を許容するような退避動作を行う。従って、ハンマー等の工具類を用いずに、ソケット部に掛止部を挿入することができ、足場装置の組立て作業を、容易に行なうことができる。
【００１４】
また、回動子は、その一端が底部壁に接触することにより回動が規制され、この規制位置で、他端が、ソケット部の下端縁と接触可能な位置に突出するから、掛止部をソケット部から抜き出せなくなる。従って、本発明に係る足場装置は、優れた機械的結合強度を有し、振動や揺れが加えられたとしても、足場部材の浮き上がりや、脱落事故は生じない。
【００１５】
一方、足場装置の解体にあたって、例えば作業員は、指で回動子の他端を押すことにより、回動子を掛止部の挿入時とは逆方向に回動させる。この操作により、回動子は、その他端がソケット部の下端縁から離れ、側壁の内側に収納される退避動作をするから、掛止部をソケット部から抜き出し可能となる。従って、ハンマー等の工具類を用いることなく、足場部材相互の結合状態を容易に解除し、足場装置の解体作業を行なうことができる。
【００１６】
上述したように、本発明に係る足場部材、及び、これを用いた足場装置によると、ハンマー等の工具類が不要となり、足場装置の組立て作業、及び、解体作業を安全に行うことができる。
【００１７】
本発明の他の目的、構成及び利点については、添付図面を参照し、更に詳しく説明する。添付図面は、単に、例示に過ぎない。
【発明の効果】
【００１８】
以上述べたように、本発明によれば、次のような効果を得ることができる。
【００１９】
（１）組立て作業、及び、解体作業を、効率的、且、安全に行なうことができる足場部材、及び、これを用いた足場装置を提供することができる。
（２）優れた機械的結合強度を有する足場部材、及び、これを用いた足場装置を提供することができる。
【発明を実施するための最良の形態】
【００２０】
図１は本発明の一実施形態に係る足場部材の斜視図、図２は図１の２−２線に沿った断面について一部を拡大して示す図、図３は図２の３−３線に沿った正面断面図である。本発明は、足場布板、ブラケット、手摺、根がらみ、すじかい、支柱等の各種の足場部材に適用可能であり、図１〜図３は足場布板に適用した場合の具体的な実施形態を示している。
【００２１】
図１乃至図３を参照すると、本発明の一実施形態に係る足場部材は、基体部１０と、掛止部１３と、掛止フック１９とを含む。
【００２２】
基体部１０は、矢印Ｌ１で示す長手方向の両端において相対向する端縁１０１、１０２を有する略長方形形状であって、好ましくは軽量化のため面内に貫通部１００を有する枠状となっており、典型的には金属管体、又は、断面コ字状に加工した金属板体よって構成されている。
【００２３】
基体部１０は、踏面板１１を有する。踏面板１１は、軽量化、及び、滑り止め等のため、多数の穴を分布させたメッシュ状となっており、典型的には金属網体によって構成されている。このような踏面板１１は、溶接等の手段により、貫通部１００の一面側に固定されており、作業者の体重を支持するのに充分な機械的強度を有している。さらに、図１乃至図３に示す基体部１０は、踏面板１１の下面側に、機械的強度を補強するための梁１２を有する。
【００２４】
掛止部１３は、基体部１０の両端縁１０１、１０２に取り付けられている。より詳細に説明すると、掛止部１３は、それぞれ端縁１０１、１０２の上面に、リベット、ボルト・ナット、溶接等の結合手段により固定され、且、端縁１０１、１０２から、基体部１０の長手方向Ｌ１に突出して設けられる。
【００２５】
掛止フック１９は、端縁１０１、１０２のそれぞれにおいて掛止部１３と併設されており、リベット、ボルト・ナット、溶接等の結合手段により端縁１０１、１０２に固定され、且、端縁１０１、１０２から長手方向Ｌ１に突出して設けられている。
【００２６】
本発明の一実施形態に係る足場部材は、上述した基本的構成において、掛止部１３に工夫を加えた点に特徴がある。以下、図２及び図３を参照してより具体的に説明すると、掛止部１３は、矢印Ｌ２で示す長さ方向の一端に向かって徐々に細くなる楔状であって、２つの側壁１４、１５と、底部壁１６と、回動軸１７と、回動子１８とを含む。
【００２７】
２つの側壁１４、１５は、底部壁１６の内面において、掛止部１３の長さ方向Ｌ２に直交する幅方向Ｗの両端から互いに相対向して立ち上がる。回動軸１７は、側壁１４、１５の間において、掛止部１３の長さ方向Ｌ２の先端付近に取り付けられている。図２及び図３に示す回動軸１７は、側壁１４を幅方向Ｗに貫通するとともに、両端が側壁１４、１５によって支持されている。
【００２８】
回動子１８は、一端１８１の側に、長さ方向Ｌ２にそって、肉厚を減少させる方向に傾斜する傾斜面１８２を有する。回動子１８は、掛止部１３の先端付近において側壁１４、１５の間に、矢印Ｒ１、Ｒ２で示す方向に回動可能に取り付けられている。具体的には、中間部に回動軸１７が挿通され、この回動軸１７により矢印Ｒ１、Ｒ２で示す方向に回動可能に支持されている。本実施例において、回動軸１７は、回動子１８の重心よりも、一端１８１の側に偏心した位置に備えられ、回動子１８のバランスが意図的に崩されている。即ち、回動子１８は、他端１８３が一端１８１よりも重くなっており、回動子１８に対する規制のない状態で、他端１８３が重力に従って矢印Ｒ１で示す方向に回動する。
【００２９】
この回動子１８のＲ１方向への回動は、一端１８１が底部壁１６に接触することにより規制される。即ち、回動子１８は、一端１８１に設けられた傾斜面１８２が底部壁１６に接触することにより、Ｒ１方向への回動が規制される。この規制位置で、他端１８３が、傾斜面１８２の傾斜角Ａ、及び、回動軸１７の設置位置にしたがって、側壁１４、１５よりも外側に突出する。この他端１８３が突出する状態から、回動子１８を、矢印Ｒ２で示す方向に回動させると、他端１８３が側壁１４、１５の内側に収納される。
【００３０】
回動子１８は、Ｒ１及びＲ２方向への回動が可能であれば、その具体的な軸受け構造は、必ずしも図１乃至図３を参照して説明した回動軸１７に限定されない。例えば、回動軸１７は、回動子１８の両側面に突出する凸部として構成することができる。
【００３１】
図１〜図３を参照して説明した本発明の一実施形態に係る足場布板は、ブラケットや、支柱などの各種足場部材と組み合わされて、足場装置を構成する。次に、本発明の一実施形態に係る足場部材の使用態様について、図４を参照して説明する。図４は本発明の一実施形態に係る足場装置について一部を省略して示す斜視図である。図４において、図１〜図３に示された構成部分と同一の構成部分には、同一の参照符号を付してある。
【００３２】
図４を参照すると、本発明の一実施形態に係る足場装置は、第１の足場部材１と、第２の足場部材２と、第３の足場部材３とを含む。
【００３３】
第１の足場部材１は、図１乃至図３を参照して説明した足場布板でなる。以下、説明の都合上、第１の足場部材１を、足場布板１として説明する。
【００３４】
第２の足場部材２は、所謂支柱であって、パイプ基体２０と、複数のソケット部２１とを含む。ソケット部２１は、楔に対応した凹形状を有し、パイプ基体２０の外周に配置されている。以下説明の都合上、第２の足場部材２を、支柱２として説明する。
【００３５】
第３の足場部材３は、所謂ブラケットであって、基体部３０と、ソケット部３１と、２つの掛止部３３とを含む。基体部３０は、好ましくは桿状であって、足場布板の掛止フック１９に対応した形状を有し、典型的には円管パイプ状が好ましい。
【００３６】
ソケット部３１は、楔に対応した凹形状を有し、基体部３０の両側面に配置されている。２つの掛止部３３は、基体部３０の両端にそれぞれ取り付けられている。以下説明の都合上、第３の足場部材３を、ブラケット３として説明する。更に、ラケット３は、支持部３４と、補強部３５と、支持受け部３６とを含む。これらは、当該技術分野において、周知の構成部分であるから、詳細は省略する。
【００３７】
図４を参照して説明した足場装置の組立て工程について、図５〜図８を参照して説明する。図５は図４に示した足場装置の組立て工程を示す斜視図、図６〜図８は図４に示した工程の後の工程について一部を省略して示す正面断面図である。
【００３８】
図５を参照すると、まず、予め所定の間隔を隔てて立設した２つの支柱２、２の間に、ブラケット３を配置し、掛止部３３をソケット部２１に差し込みして両者を結合固定する。このブラケット３に対して、さらに足場布板１を配置し、掛止フック１９を基体部３０に掛け止め、掛止部１３をソケット部３１に挿入する。
【００３９】
ブラケット３に対して、足場布板１を結合固定する工程について、さらに、図６を参照すると、掛止部１３の回動子１８は、一端１８１に備えられた傾斜面１８２が底部壁１６に接触しており、この傾斜面１８２の傾斜角Ａ（図２参照）にしたがって、他端１８３が、側壁１４、１５の外側に突出している。
【００４０】
次に、図７を参照すると、回動子１８は、図６の状態から更に掛止部１３が、長さ方向Ｌ２に沿ってソケット部３１に差し込まれることにより、他端１８３が、ソケット部３１の周壁３１０との接触に従って矢印Ｒ２で示す方向に回動し、一旦、側壁１４、１５の内側に収納される。
【００４１】
さらに、図８を参照すると、掛止部１３の先端付近がソケット部３１を貫通し、他端１８３に対する周壁３１０の規制が解除されると、回動子１８は、重力に従って矢印Ｒ１で示す方向に回動する。この矢印Ｒ１で示す方向に回動は、一端１８１が底部壁１６に接触することにより規制され、この規制位置で、他端１８３が、側壁１４、１５の内側から突出することにより、掛止部１３をソケット部３１から抜き出せなくなる。
【００４２】
上述したように、本発明の一実施形態に係る足場装置に用いられている足場布板１は、基体部１０の両端部１０１、１０２に、掛止部１３が取り付けられており、この掛止部１３は長さ方向Ｌ２に延びる楔状であるから、掛止部１３をソケット部３１に差し込むことができるとともに、足場布板１をブラケット３に設置することができる。
【００４３】
掛止部１３の回動子１８は、一端１８１に設けられた傾斜面１８２が底部壁１６に接触することにより、Ｒ１方向への回動が規制されている。回動子１８の他端１８３は、上述した規制位置で、傾斜面１８２の傾斜角、及び、回動軸１７の位置にしたがって、側壁１４、１５よりも外側に突出し、周壁３１０の下端縁の直下に配置されるから、強風や作業員の移動等により、足場装置に対して長さ方向Ｌ２、及び、長さ方向Ｌ２に相対向する方向に振動や揺れが加えられた場合、他端１８３と周壁３１０の下端縁とが接触することにより、足場布板１とブラケット３との結合状態が維持される。しかも、この接触により生じる圧力や衝撃等を受け、他端１８３がＲ１方向にしようとする挙動は、傾斜面１８２と底部壁１６との接触部分で継続的に規制され、支持される。従って、振動や揺れにかかわらず、足場布板１と、ブラケット３とを、確実に固定し続けることができる。
【００４４】
また、回動子１８は、掛止部１３の先端付近において側壁１４、１５の間に、矢印Ｒ１、Ｒ２で示す方向に回動可能に取り付けられている。従って、足場装置の組立て作業、及び、解体作業が、回動子１８により阻害されることはない。
【００４５】
具体的に、足場装置の組立てにあたり、ソケット部３１に掛止部１３を差し込むだけで、回動子１８がソケット部３１の周壁３１０などに接触して自動的に矢印Ｒ２で示す方向に回動し、掛止部１３の挿入を許容するような退避動作を行う。さらに、掛止部１３の先端付近がソケット部３１を貫通し、他端１８３に対する周壁３１０の規制が解除されると、回動子１８が重力に従って自動的に矢印Ｒ１で示す方向に回動し、側壁１４、１５よりも外側に突出する。従って、足場装置の組立てを効率的に行なうことができる。
【００４６】
一方、足場装置の解体にあたり、掛止部１３をソケット部３１から取り外す場合、作業員は、指で他端１８３の付近を押すことにより、回動子１８を、矢印Ｒ２で示す方向に回動させる。この操作が、回動子１８の退避動作となり、他端１８３が側壁１４、１５の内側に収納され、掛止部１３をソケット部３１から抜き出すことが可能となる。従って、ハンマー等の工具類を用いることなく、足場布板１と、ブラケット３との結合状態を容易に解除し、足場装置の解体を効率的に行なうことができる。
【００４７】
上述したように、本発明の一実施形態に係る足場布板１と、及び、これを用いた足場装置によれば、組立作業、及び、解体作業において、掛止部１３にハンマー等で打撃を加える必要はないから、掛止部１３、及び、これを受けるソケット部３１等に変形、損傷、及び、破断等の不具合は発生しない。また、住宅街、病院または学校等に近い工事現場においても、騒音に対する配慮が不要となる。さらに、作業員が、腱鞘炎を起こす健康管理上の問題もない。しかも、回動子１８の他端１８３を側壁１４、１５の内側から突出させる操作、及び、他端１８３を側壁１４、１５の内側に収納する操作は簡単であるから、足場装置の組立て作業、及び、解体作業を効率的、且、安全に行うことができる。
【００４８】
図９は、本発明のもう一つの実施形態に係る足場部材の斜視図である。また、図１０は本発明の更にもう一つの実施形態に係る足場部材について、一部を破断して示す正面図、図１１は図１０に示した足場部材を用いた足場装置の正面断面図である。図９〜１１において、図１〜図８に示された構成部分と同一の構成部分には、同一の参照符号を付してある。
【００４９】
図１〜図８を参照して説明したように、本発明は、ソケット部３１に着脱される楔状の掛止部１３を有する足場部材１において、この掛止部１３の先端付近に回動可能な回動子１８を備えるという工夫を加えたことにより、結合に係る足場部材相互の機械的結合強度を向上するとともに、組立て及び解体の作業効率の向上が図られている。従って、本発明に係る足場部材の利点は、ソケット部との結合に係る楔状の掛止部を有する全ての足場部材に適用可能である。例えば、図９に示すように足場布板１は、掛止部１３に回動子１８を有する構成であれば、基体部１０の具体的な幅寸法や、掛止フック１９の設置数、及び、配置箇所を、具体的な施工条件や、用途などに応じて自由に設定することができる。
【００５０】
また、図１０及び図１１に示すように、図４の足場装置に用いたブラケット３の掛止部３３にも、回動子１８を備えることができる。この構成によると、支持２に対するブラケット３の組み付け、及び、解体作業を効率的に行うことができるとともに、両者間の機械的結合強度を向上することができる。
【００５１】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００５２】
【図１】本発明の一実施形態に係る足場部材の斜視図である。
【図２】図１の２−２線に沿った断面について一部を拡大して示す図である。
【図３】図２の３−３線に沿った正面断面図である。
【図４】本発明の一実施形態に係る足場装置について一部を省略して示す斜視図である。
【図５】図４に示した工程の後の工程について一部を省略して示す正面断面図である。
【図６】図５に示した工程の後の工程を示す図である。
【図７】図６に示した工程の後の工程を示す図である。
【図８】図７に示した工程の後の工程を示す図である。
【図９】図８に示した工程の後の足場装置の組立て状態を示す斜視図である。
【図１０】本発明の更にもう一つの実施形態に係る足場部材について、一部を破断して示す正面図である。
【図１１】図１０に示した足場部材を用いた足場装置の正面断面図である。
【符号の説明】
【００５３】
１              足場布板（第１の足場部材）
１０            基体部
１０１、１０２  基体部の端部
１３            掛止部
１４、１５      側壁
１６            底部壁
１８            回動子
１８１          一端
１８３          他端
２              支柱（第２の足場部材）
２１            ソケット部
３              ブラケット（第３の足場部材）
３１            ソケット部
【図１】
2007191904.tif 000003
【図２】
2007191904.tif 000004
【図３】
2007191904.tif 000005
【図４】
2007191904.tif 000006
【図５】
2007191904.tif 000007
【図６】
2007191904.tif 000008
【図７】
2007191904.tif 000009
【図８】
2007191904.tif 000010
【図９】
2007191904.tif 000011
【図１０】
2007191904.tif 000012
【図１１】
2007191904.tif 000013